(57)【要約】【課題】ロウソクの灯明は火災の危険があり、火災回避の１手段として電気式灯明がある。従来の電気式灯明は、商用電源を供給するコードの途中に設けた手元スイッチのON-OFF操作や、電気式灯明本体に設けたタッチセンサースイッチの接触により灯明負荷を点灯・消灯させており、これらの方法では消灯時に何らかの操作を伴うため消灯操作を意識する必要があり、消灯操作を忘れると長時間点灯しきりとなる。【解決手段】電気式灯明の点灯にタイマ点灯機能と連続点灯機能を付与し、タイマ点灯機能は、点灯保持時間満了により消灯することで、日常の取扱いを簡略化する。これにより消灯忘れによる長時間点灯しきりを防止し、また待機電力のない直流定電圧電源と合いまって、省エネルギー化を図る。連続点灯機能は、命日等での長時間点灯を想定し、従来の方法と同様に電源スイッチ操作で点灯・消灯する手段を提供する。【選択図】図１
2006020819.tif 000002
【特許請求の範囲】
【請求項１】
商用電源を使用した灯明負荷の点灯・消灯制御において、電源スイッチにタイマ、連続の二つの点灯機能と切断機能を備え、タイマ点灯機能指定時は、点灯スイッチ操作によりタイマ点灯を開始し、タイマによる点灯保持時間満了により消灯する。消灯後は、直流定電圧電源の入力を切断し待機電力なしとする。点灯保持時間は可変抵抗器により変更可能とする。連続点灯機能指定時は、即点灯を開始し、切断機能に指定変更することで消灯する。切断機能指定時は、商用電源の入力を切断する。このような機能を備えた制御部と筺体からなる電気式灯明装置と、電気式灯明装置により制御される筺体の基本形状を電気式灯明装置に合わせた電気式灯明付加装置。
【請求項２】
請求項1記載の電気式灯明装置の制御部を筺体に収納し、一対の電気式灯明付加装置の制御を行う電気式灯明制御装置。
【発明の詳細な説明】
【技術分野】
【０００１】
本発明は、灯明負荷の点灯・消灯制御にタイマを利用した電気式灯明装置に関するものである。
【背景技術】
【０００２】
従来から、商用電源により仏壇の灯明負荷の点灯・消灯制御を行っているものがある。この種の電気式灯明は、商用電源を供給するコードの途中に設けた手元スイッチのON-OFF操作や、電気式灯明本体に設けたタッチセンサースイッチの接触により、灯明負荷を点灯・消灯させている。  これらの方法では、消灯時に何らかの操作を伴うため、消灯操作を意識する必要があり、消灯操作を忘れると長時間点灯しきりとなる。又後者の方法では、待機電力が必要となる。
【特許文献１】特開平１１−９４３０号公報
【発明の開示】
【発明が解決しようとする課題】
【０００３】
解決しようとする課題は、電気式灯明負荷の点灯・消灯制御にタイマ点灯機能を付与して、消灯操作を自動化すること、消灯後は待機電力のない直流定電圧電源とすること、そして連続点灯機能も付与して、連続点灯を可能とする電気式灯明装置を提供することである。
【課題を解決するための手段】
【０００４】
本発明は、電気式灯明装置の電源スイッチにタイマ点灯機能と連続点灯機能および切断機能を設け、タイマ点灯の開始は点灯スイッチにより行う。さらに待機電力なしの直流定電圧電源を提供することを特徴とする。
【発明の効果】
【０００５】
本発明の電気式灯明装置は、タイマ点灯機能により消灯操作を自動化し、日常の取扱いを簡略化する。これにより消灯忘れによる長時間点灯しきりを防止し、消灯後は、待機電力のない直流定電圧電源と合いまって、省エネルギー化に貢献する。ロウソクの灯明に替えて、本電気式灯明装置を使用することにより、ロウソクの灯明による火災の防止にも貢献する。
【発明を実施するための最良の形態】
【０００６】
電気式灯明装置の利用形態を考察すると、平常時使用では、電源スイッチをタイマに指定し、点灯スイッチ操作を行うと、タイマ点灯機能により灯明負荷がタイマ点灯し、タイマ点灯保持時間満了により消灯する。点灯保持時間は、朝、点灯を開始し、朝食の終了あるいは通勤、通学の出発を見計らった後に消灯する等の時間幅に余裕を持たせる。消灯後は、待機電力なしの直流定電圧電源とする。命日等使用では、電源スイッチを連続に指定すると、連続点灯機能により、灯明負荷を連続点灯させ、消灯は、電源スイッチを切断に指定して、切断機能により行う。連続点灯は、タイマ点灯における途中消灯や、タイム延長のための点灯スイッチの再操作を回避する。この様な利用形態であるため、タイマ-切断-連続のポジションを持つ電源スイッチと、点灯スイッチの操作による、実用性の高い電気式灯明装置を実現する。
【実施例１】
【０００７】
図１は、請求項１に関わる本電気式灯明装置制御部の１実施例の回路図であって、商用電源を接続する電源端子（符号T１）と、灯明負荷を接続する出力端子（符号T２）を備える。T１に接続する商用電源は、コンセントから供給し、T２は自身の灯明負荷と、外部の電気式灯明付加装置の灯明負荷に電力を供給する。次に回路について説明する。
【０００８】
電源スイッチは、２極２接点でスイッチ特性がON−OFF−ONの波動スイッチを用い、タイマ−切断−連続のポジションを与え、タイマはタイマ点灯機能、切断は切断機能、連続は連続点灯機能に対応する。点灯スイッチは、２極２接点でスイッチ特性がON−（ON）の押釦スイッチ（ノンロック式）を用いる。直流電源は、商用電源を整流し安定化した直流定電圧電源を直流回路に供給する。
【０００９】
タイマICは、長時間タイマIC（例はB-8081B）を用い、外付するCRを調整することにより任意のタイムを設定可能とする。灯明負荷の制御は、灯明負荷が１回路５W程度と小さいことから、ソリッドステートリレーSSR（例はS19MD01）を用いる。
【００１０】
タイマ点灯機能の動作について説明すると、先ず電源スイッチをタイマに指定し、点灯スイッチを短時間押下し戻すことにより行う。点灯スイッチ押下で、商用電源は、T１、FUSE、電源スイッチ（１）タイマ端子、点灯スイッチ（１）動作接点、T２、灯明負荷、更にT２、T１で商用電源に至る。これにより灯明負荷は強制的に点灯する。また点灯スイッチ（１）動作接点、電源スイッチ（２）タイマ端子、C1、R1を経由した商用電源は、整流回路BD、ツエナーダイオードZD、平滑用コンデンサーC２により直流定電圧電源を発生し直流回路に供給する。図中、正極は（＋）、負極は地気で表示する。
【００１１】
点灯スイッチ（２）動作接点により、タイマICのRESETに（＋）が供給され、タイマICはRESET状態となり、OUTはLレベル（＝VSS）となる。次に点灯スイッチ押下を戻すと、点灯スイッチ（２）復旧接点により、（＋）の供給がRESETからSETに変わり、タイマICはSET状態となる。これによりOUTはHレベル（＝VDD）に転極し、分周動作を開始する。OUTのHレベルはR３経由でSSRのアノードAに供給されSSRが動作する。SSRの動作は、出力（T1）と（T２）を交流的に導通させる。
【００１２】
SSRの出力（T1）と（T２）の導通により、点灯スイッチ（１）復旧接点で切断された商用電源は、新たに電源スイッチ（１）タイマ端子、SSRの出力（T２）、（T１）経由で灯明負荷および直流定電圧電源に供給される。灯明負荷は、タイマ点灯を開始する。直流定電圧電源は、点灯スイッチ操作により発生する商用電源の瞬断を、C２により吸収する。タイマIC
のSET、RESET、TRIGにはプルダウン抵抗が内蔵されており、外部からの入力がない時はLレベルに固定される。
【００１３】
タイマICは、外付の時限コンデンサーC３と時限抵抗R２および可変抵抗器VRでCR発信回路を構成し、発信周波数を２０段分周器で分周することで、タイマによる点灯保持時間を設定する。分周動作中はOUTをHレベルとし、分周動作満了によりLレベルに転極する。点灯保持時間は、C3＝０.０３３μF、R２＝５１ｋΩ、VR＝５００ｋΩによる実験で約２２分から約４時間１０分のタイムを得た。分周動作満了でOUTがLレベルになると、SSRが復旧し、出力（T２）、（T１）間の導通が解除される。これにより灯明負荷が消灯し、直流定電圧電源も停止する。直流定電圧電源の停止は、待機電力なしを意味する。灯明負荷の自動消灯は、ロウソクの灯明と比較すると、ロウソクが燃え尽きて自然消火することに等しい。
【００１４】
分周動作中に再度点灯スイッチを押下すると、タイマICのRESETは、（＋）が供給されるため、OUTをLレベルに転極し、SSRを復旧させるとともに、分周器のカウンタをリセットする。点灯スイッチの押下を戻すと、（＋）の供給がタイマIC
のRESETからSETに変わるため、OUTは再度Hレベルとなり、SSRが再動作するとともに、分周動作も開始する。再度点灯スイッチを押下し戻すことは、タイマを新たにセットすることであり、これをロウソクの灯明と比較すると、消えかかっているロウソクを、新しいロウソクと取り替えることに等しい。点灯スイッチを押下してから戻すまでの間、点灯スイッチ（１）動作接点経由で灯明負荷の点灯および直流定電圧電源の動作を継続する。
【００１５】
次に連続点灯機能での点灯動作について説明する。電源スイッチを連続に指定すると、商用電源は、T１、FUSE、電源スイッチ（１）連続端子、T２、灯明負荷、更にT２、T１で商用電源に至る。これにより灯明負荷を連続点灯する。電源スイッチ（２）は、直流定電圧電源への商用電源入力を切断する。
【００１６】
最後に切断機能について説明する。電源スイッチを切断に指定すると、商用電源は、電源スイッチ（１）で切断される（切断端子なし）。この切断機能は、商用電源を切断することから、雷発生時や長期不在時等の電源断の他、タイマ点灯中の途中消灯操作、連続点灯中の消灯操作に適応する。
【００１７】
図２は、請求項１に関わる本電気式灯明装置の１実施例の正面図、図３は側面図、図４は背面図である。図２から図4について説明すると、電気式灯明装置１は、台座部２と筒部３で構成する。台座部２は、正面張出部に電源スイッチ４、点灯スイッチ５を配置する。背面にVR調整ツマミ６、電源ジャック７および出力ジャック８を配置する。電源ジャック７は、電源ジャック７と対向するプラグを備えた電気コード（図示せず）により、仏壇側壁等の貫通口経由で、仏壇の外にあるコンセントに接続することを考慮して小サイズのものとする。灯明は１対で使用することが一般的であり、出力ジャック８は、電気式灯明装置１と組合せる電気式灯明付加装置１０の入力プラグに接続する。出力ジャック８も小サイズのものする。回路基板（図示せず）は台座部２内に収容する。筒部３は、上部に灯明負荷用電球９（市販ロウソク球等）用ソケット（図示せず）と内部に電気配線（図示せず）を収容する。
【００１８】
図５は、請求項１に関わる本電気式灯明付加装置の１実施例の正面図である。電気式灯明付加装置１０は、電気式灯明装置１と対をなすことから、基本形状を電気式灯明装置１に合わせるが、台座部１１については、正面張出部の電源スイッチ４、点灯スイッチ５、背面のVR調整ツマミ６、電源ジャック７および出力ジャック８を削除した形状とし、新たに電気式灯明装置１の出力ジャック８に接続する入力プラグを備えた電気コード（図示せず）の貫通口（図示せず）を背面に設ける。電気コード（図示せず）の余長は台座部１１内に収容する。
【実施例２】
【００１９】
図６は、請求項２に関わる本電気式灯明制御装置の１実施例の正面図、図７は側面図、図８は背面図である。図６から図８について説明すると、電気式灯明制御装置１２は、箱型の形状とし、上面に電源スイッチ４、点灯スイッチ５およびVR調整ツマミ６を配置し、背面に電源ジャック７、出力ジャック８を配置する。出力ジャック８は、１対の電気式灯明付加装置１０に接続することを考慮し２個配置する。内部に回路基板（図示せず）を収容する。電気式灯明制御装置１２と電気式灯明付加装置１０の配置は、互いに離隔し、仏壇内の奥に電気式灯明付加装置１０、手前または仏壇外に電気式灯明制御装置１２を配置するような場合に有効である。
【００２０】
また電気式灯明付加装置１０の形状を変えて、電気式吊灯篭付加装置とすることにより、電気式灯明制御装置１２と組合せて、タイマ点灯機能をもつ電気式吊灯篭とすることも可能である。
【産業上の利用可能性】
【００２１】
本装置は、従来の電気式灯明に対して、タイマ点灯機能を付与し、点灯保持時間満了により消灯することで、日常の取扱いを簡略化する。これにより消灯忘れによる長時間点灯しきりを防止し、消灯後は、待機電力のない直流定電圧電源と合いまって省エネルギー化に貢献する。また従来の連続点灯機能も装備しており、非常に利便性の高い装置である。本電気式灯明装置をロウソクの灯明に替えて使用することにより、ロウソクの灯明による火災の心配および火災の防止にも貢献する。
【図面の簡単な説明】
【００２２】
【図１】請求項１の電気式灯明装置の制御部に関わる回路図である。（実施例１）
【図２】請求項１の電気式灯明装置に関わる正面図である。（実施例１）
【図３】請求項１の電気式灯明装置に関わる側面図である。（実施例１）
【図４】請求項１の電気式灯明装置に関わる背面図である。（実施例１）
【図５】請求項１の電気式灯明付加装置に関わる正面図である。（実施例１）
【図６】請求項２の電気式灯明制御装置に関わる正面図である。（実施例２）
【図７】請求項２の電気式灯明制御装置に関わる側面図である。（実施例２）
【図８】請求項２の電気式灯明制御装置に関わる背面図である。（実施例２）
【符号の説明】
【００２３】
１  電気式灯明装置
２  電気式灯明装置台座部
３  電気式灯明装置筒部
４  電源スイッチ
５  点灯スイッチ
６  VR調整つまみ
７  電源ジャック
８  出力ジャック
９  灯明負荷用電球（市販ロウソク球等）
１０  電気式灯明付加装置
１１  電気式灯明付加装置台座部
１２  電気式灯明制御装置
【図１】
2006020819.tif 000003
【図２】
2006020819.tif 000004
【図３】
2006020819.tif 000005
【図４】
2006020819.tif 000006
【図５】
2006020819.tif 000007
【図６】
2006020819.tif 000008
【図７】
2006020819.tif 000009
【図８】
2006020819.tif 000010